(57)【要約】【課題】  トラクタに連結する肥料散布機において、肥料の散布量調節が容易で散布精度が良く、複合作業等も可能で、有機質肥料等の散布ができる。【解決手段】  肥料を収容するホッパの底部後端側に散布口を設け、トラクタからの動力によりスクリュコンベアを散布口に向けて駆動し、スクリュコンベア上方には、肥料が流下するホッパ側面壁の隙間を変化させて流下量を調節する調節手段と、スクリュコンベア長手方向と直交する方向に揺動して肥料の流下滞留を防止する滞留防止手段を設けた。【選択図】      図１
2006006113.tif 000002
【特許請求の範囲】
【請求項１】
トラクタに連結する装着部と、肥料を収容するホッパと、肥料を散布する施肥部を有する肥料散布機において、施肥部は、ホッパ底部の後端側に散布口を有し、この散布口に向けてスクリュコンベアを配設し、このスクリュコンベア上方に設けた固定板と、ホッパ側面壁との隙間を変化させる開閉板を固定板に摺動自在に設け肥料の流下量を調節する調節手段を有し、スクリュコンベアはトラクタからの動力で駆動されることを特徴としたトラクタに連結する肥料散布機。
【請求項２】
ホッパ内のスクリュコンベア上方に位置し、スクリュコンベア長手方向と直交する方向に揺動してホッパ内の肥料の流下滞留を防止する滞留防止手段を設け、前記スクリュコンベアの駆動と連動して揺動することを特徴とする請求項１記載のトラクタに連結する肥料散布機。
【発明の詳細な説明】
【技術分野】
【０００１】
本発明は、トラクタに連結して有機質肥料や粉粒体肥料を筋状に散布する肥料散布機に関するものである。
【背景技術】
【０００２】
本発明は、作物の栽培畝に筋状に肥料を施肥しようとするもので、従来このような肥料散布機としては、例えば実公昭５５−１７６７０７号公報に記載された堆肥散布機が公知である。
【特許文献１】実公昭５５−１７６７０７号公報
【発明の開示】
【発明が解決しようとする課題】
【０００３】
前記従来技術における堆肥散布機の肥料を排出口に繰り出すための繰り出しコンベアの駆動は、接地輪を地面に接地させ、これの駆動力により駆動されるもので、トラクタの走行速度が変化すると、接地輪の回転数も変化し、コンベアの繰出し量も変化することになるが、圃場条件や走行速度条件により接地輪のスリップが発生し、均一な散布量が得られない問題があった。また、単位面積あたりの散布量を変更する場合は、トラクタの走行速度に対しコンベアの繰り出し速度を変更することが有効であるが、接地輪は走行速度に同期しているため、散布量の変更はできない問題があった。
【０００４】
また、肥料の繰出し搬送には、ベルトコンベアを使用しているため、有機質肥料等の場合、滞留やスリップにより繰出し量が安定しない問題があった。
また、例えば畝に溝を開けて溝の中に肥料を筋状に散布する場合、別工程で溝を開けておく必要があり、これを一工程で行う場合、散布孔の前方に溝開け装置を装着する必要があるが、散布孔が前端部にあるため、これらの装置の装着スペースが確保できなく、このような複合作業を行う場合不都合が生じていた。
【０００５】
このようなことから本発明の目的は、肥料の散布量調節が容易で散布精度が良く、複合作業等も可能で、有機質肥料等の流下性の劣る肥料でも散布可能な肥料散布機を提供することにある。
【課題を解決するための手段】
【０００６】
上記課題を解決するために、トラクタに連結する装着部と、肥料を収容するホッパと、肥料を散布する施肥部を有する肥料散布機において、施肥部は、ホッパ底部の後端側に散布口を有し、この散布口に向けてスクリュコンベアを配設し、このスクリュコンベア上方に設けた固定板と、ホッパ側面壁との隙間を変化させる開閉板を固定板に摺動自在に設け肥料の流下量を調節する調節手段を有し、スクリュコンベアはトラクタからの動力で駆動されるように構成した。
【０００７】
また、ホッパ内のスクリュコンベア上方に位置し、スクリュコンベア長手方向と直交する方向に揺動してホッパ内の肥料の流下滞留を防止する滞留防止手段を設け、前記スクリュコンベアの駆動と連動して揺動するように構成した。
【発明の効果】
【０００８】
以上のように構成することにより、請求項１記載の発明によると、ホッバ底部後端側に散布孔があるため、肥料散布前の溝開け等の複合作業用手段をホッパ下方部のスペースに設けることが可能で、施肥部においては、駆動をトラクタの動力により確実に行い接地輪のスリップ等に影響されることがなく、ホッパ内の肥料の搬送繰出しは、回転軸に螺旋状の羽根を有したスクリュを回転させて搬送するスクリュコンベアで行うため、肥料を強制的に確実に搬送し精度の良い散布量が得られ、少量精密散布にも有効である。
【０００９】
また、スクリュコンベア上方に設けた流下量を調節する調節手段により、スクリュコンベアに流下する肥料の量を設定できるため、走行速度に合った散布量を容易に設定できる。
【００１０】
肥料をホッパ内に収容して移動する時に、振動等によりホッバ内の肥料の全重量がスクリュコンベア部に作用して固着し、スクリュコンベアを起動する時の抵抗力となり、起動できなかったり、部品の破損を招く不都合を生ずる場合があるが、開閉板を閉じて移動することにより解消することができる。
【００１１】
また、請求項２記載の発明によると、スクリュコンベアの上方に、スクリュコンベア長手方向と直交する方向に揺動して、ホッパ内の肥料の流下滞留を防止する滞留防止手段により、有機質肥料等の流下性の劣る肥料でも滞留せずスクリュコンベアへ流下するため、スクリュコンベアで確実に搬送されるのと伴い散布量は安定する。さらにスクリュコンベアの駆動と連動しているため取り扱い性も良い。
【発明を実施するための最良の形態】
【００１２】
以下、本発明の実施形態を図面に基づいて説明する。図１は本発明を実施した肥料散布機の横断面図、図２は本発明を実施した肥料散布機の後面図、図３はホッパ前方部の滞留防止手段と流量調節手段の作動要部説明図、図４はホッパ内の滞留防止手段と流量調節手段の作動要部説明図である。
【００１３】
図において、フレーム１の前方には装着部２が設けてあり、ロアピン２ａとトップリンク用穴２ｂにより、図示されていないがトラクタの３点リンク機構に装着される。
【００１４】
３はホッパで、上部は肥料を投入しやすいように広く開口してあり、肥料が斜面を流れやすいように下方に向けて傾斜させ萎めた形状に構成していて、底部には施肥部７が設けてあり、これらはフレーム１上に載設されている。
【００１５】
施肥部７は、回転軸に螺旋状の羽根を有した繰出しスクリュ４を回転させ、ホッパ３の底部後方に設けた散布口８にホッパ３内の肥料を搬送し落下させ筋状に散布するものである。繰出しスクリュ４のホッパ３内上方には、流量調節手段２０が設けてあり、ホッパ３内の肥料が繰出しスクリュ４に流下する流量を調節する。さらに、流量調節手段２０の上方には、滞留防止手段９が設けてあり、揺動軸９ａを中心に山形に傾斜した揺動板９ｂが繰出しスクリュ４の長手方向と直交する方向に揺動し、ホッパ３内の肥料の流下滞留を防止する。
【００１６】
繰出しスクリュ４は、図示されていないが、トラクタＰＴＯ軸と入力軸５とをユニバーサルジョイントで連結しトラクタの動力により駆動され、入力軸５に入った動力は
入力軸スプロケット１１ａからローラーチェーン１０ａによりアイドルスプロケット１２ａに伝達されて減速され、さらに出力スプロケット１１ｂから繰出しスクリュ４に固着された入力スプロケット１２ｂにローラーチェーン１０ｂにより伝達されて減速され繰出しスクリュ４は駆動される。
【００１７】
入力軸５の後端部は、入力軸回転中心から軸心をＡ寸法偏心させたクランク軸となっていて、このクランク軸部には、ベアリングで保持された偏心ボス６が設けてあり、入力軸が回転するとクランク軸部は、上下左右にＡ寸法偏心して回転し、偏心ボス６から延出した偏心ボスアーム６ａの一端は、滞留防止手段９の揺動軸９ａに固着した揺動アーム６ｂと連結してあるため、偏心ボス６は上下左右に揺動し、揺動アーム６ｂは上下に揺動して滞留防止手段を揺動させる。
【００１８】
流量調節手段２０は、繰出しスクリュ４の上方に山形に傾斜させた固定板２０ａを設け、この左右の傾斜面と当接して摺動する開閉板２０ｂを固定板２０ａの長手方向に回動軸を有したスライドシャフト２０ｃに固着したアーム２０ｇと、開閉板２０ｂの係合ピン２０ｈを係合させて、スライドシャフト２０ｃを回動させることで摺動させ、ホッパ側面壁との隙間Ｂを変化させ、肥料が繰出しスクリュ４へ流下する流量を調節する。開閉板２０ｂの調節はスライドシャフト２０ｃの前方端に設けたハンドル２０ｅを操作し、ガイド板２０ｆの目盛に対応した位置に固定し調節できる。
【００１９】
スライドシャフト２０ｃは、山形に傾斜した固定板２０ａの左右の開閉板２０ｂを調節できるように平行に二本設けてあり、前方端の双方のギヤ２０ｄの噛合により連動して一本のハンドル２０ｅにより操作できる。開閉板２０ｂを繰出しスクリュ４の回転方向による引き込み側の片側のみに設けた場合は、スライドシャフト２０ｃは一本で良い。
【００２０】
車輪１３は、肥料を筋状に散布する畝等を跨いで走行できるように左右の延出したフレームに、水平方向に回動自在に設けたキャスターアーム１３ａにキャスターアーム回動軸とオフセットさせて設けた回転軸で取り付けられていて、肥料散布機を支えている。
【００２１】
１４はキャスター輪で肥料散布機をトラクタの連結から外し、格納や移動する時に取り付けて使用するものである。
【００２２】
ホッパ３下方のフレーム１に取り付けた溝開け板１６は、肥料散布する畝や地表面に溝を開けるためのもので、この溝に肥料を散布孔８より落下させて散布することが可能で、散布孔８の後方に設けたディスクロータ１５により前記開けた溝を埋め戻して肥料を土中に埋め込むこともできる。
【００２３】
ディスクロータ１５は、凹状の円板を凹面が斜め前方を向けて取り付けてあり、畝を跨いで左右両側に配置され、平面視で進行方向に逆八字状に後方が萎むように取り付けて、アーム１５ｃによりフレーム１に対し上下に回動可能で、バネ１５ｂにより下方に弾圧されていて、前方へ進行するとディスクロータが自転し、土を後方へ掻き上げて内側に盛り上げる。
溝開け板１６およびディスクロータ１５は、使用しない時はフレームより取り外しすることができる。
【図面の簡単な説明】
【００２４】
【図１】肥料散布機の横断面図
【図２】肥料散布機の後面図
【図３】ホッパ前方部の滞留防止手段と流量調節手段の作動要部説明図
【図４】ホッパ内の滞留防止手段と流量調節手段の作動要部説明図
【符号の説明】
【００２５】
１      フレーム
２      装着部
３      ホッパ
４      繰出しスクリュ
５      入力軸
６      偏心ボス
６ａ    偏心ボスーアーム
６ｂ    揺動アーム
７      施肥部
８      散布口
９      滞留防止手段
９ａ    揺動軸
９ｂ    揺動板
１０ａ  ローラーチェーン
１０ｂ  ローラーチェーン
１１ａ  入力軸スプロケット
１１ｂ  出力スプロケット
１２ａ  アイドルスプロケット
１２ｂ  入力スプロケット
１３    車輪
１３ａ  キャスターアーム
１４    キャスター輪
１５    ディスクロータ
１５ｂ  バネ
１５ｃ  アーム
１６    溝開け板
２０    流量調節手段
２０ａ  固定板
２０ｂ  開閉板
２０ｃ  スライドシャフト
２０ｄ  ギヤ
２０ｅ  ハンドル
２０ｆ  ガイド板
２０ｇ  アーム
２０ｈ  係合ピン
【図１】
2006006113.tif 000003
【図２】
2006006113.tif 000004
【図３】
2006006113.tif 000005
【図４】
2006006113.tif 000006